(57)【要約】      （修正有）【課題】簡易水洗式の仮設和式トイレを、必要に応じて洋式トイレに変更でき、かつその変更作業が容易に行えることができる洋式便器設置用のアダプターパネルを提供する。【解決手段】アダプターパネル８に洋式便器を設置し、これをフロアパネル２上に取り付ける。アダプターパネル８には、洋式便器の汚物流出口が配置される洋式便器用開口９が形成され、底面側に凸部１３が形成され、凸部１３の前後に可動爪１５と固定爪１７が設置されている。仮設和式トイレの水タンク兼デッキと和式便器を取り外し、洋式便器を設置したアダプターパネル８の凸部１３をフロアパネル２の和式便器用開口７に嵌め、固定爪１７と可動爪１５をフロアパネル２の下に差し入れる。アダプターパネル８の凸部１３を除く板状部分はフロアパネル２の上に置かれる。【選択図】図５
2014173320.tif 000002
【特許請求の範囲】
【請求項１】
簡易水洗式の仮設和式トイレを洋式トイレに変更する際に使用される洋式便器設置用のアダプターパネルにおいて、前記仮設和式トイレは、便槽の上に平らなフロアパネルが設置され、前記フロアパネルの上に水タンク兼デッキが設置され、前記水タンク兼デッキに和式便器が収容され、前記フロアパネルに前記便槽に通じる開口が形成され、前記和式便器の汚物流出口が前記開口内に配置され、前記水タンク兼デッキ及び和式便器の周囲が前面ドア付きの四角いボックスで囲繞されたものであり、前記アダプターパネルは前記フロアパネルの上に設置されるもので、前記開口より大きい平面視形状を有し、前記洋式便器を設置したときその汚物流出口が配置される洋式便器用開口が形成され、前記洋式便器用開口は前記開口より小さい平面視形状を有し、前記フロアパネル上に設置されたとき前記開口全面を覆いかつ前記洋式便器用開口が前記開口の内側に位置することを特徴とする洋式便器設置用のアダプターパネル。
【請求項２】
前記アダプターパネルが前記フロアパネルの上で前記開口の左右に張り出していることを特徴とする請求項１に記載された洋式便器設置用のアダプターパネル。
【請求項３】
下面側に前記開口に嵌まる凸部を有し、前記凸部が形成された箇所に前記洋式便器用開口が形成されていることを特徴とする請求項１又は２に記載された洋式便器設置用のアダプターパネル。
【請求項４】
下面後方側に固定爪、下面前方側に可動爪が設置され、前記固定爪は前記開口の後方側縁部から前記フロアパネルの下に差し入れられ、前記可動爪は進出又は後退自在で、進出させたとき前記開口の前方側縁部から前記フロアパネルの下に差し入れられるものであることを特徴とする請求項１又は２に記載された洋式便器設置用のアダプターパネル。
【請求項５】
下面側に前記開口に嵌まる凸部を有し、前記凸部の下面後方側に固定爪、下面前方側に可動爪が設置され、前記固定爪は前記開口の後方側縁部から前記フロアパネルの下に差し入れられ、前記可動爪は進出又は後退自在で、進出させたとき前記開口の前方側縁部から前記フロアパネルの下に差し入れられるものであることを特徴とする請求項１に記載された洋式便器設置用のアダプターパネルすることを特徴とする請求項１又は２に記載された洋式便器設置用のアダプターパネル。
【請求項６】
便槽の上に平らなフロアパネルが設置され、前記フロアパネルに前記便槽に通じる開口が形成され、前記フロアパネルの上に請求項１〜５のいずれかに記載されたアダプターパネルが設置され、前記アダプターパネル上に洋式便器が設置され、前記洋式便器の汚物流出口が前記洋式便器用開口内に配置され、前記フロアパネル上の前記洋式便器の背面側に水タンクが設置され、前記水タンク及び様式便器の周囲が前面ドア付きの四角いボックスで囲繞されていることを特徴とする簡易水洗式の仮設洋式トイレ。
【発明の詳細な説明】
【技術分野】
【０００１】
本発明は、簡易水洗式の仮設和式トイレを、必要なとき簡単に洋式トイレに変更できるようにするための洋式トイレ用（洋式便器設置用）アダプターパネル、及び同アダプターパネルを使用した簡易水洗式の仮設洋式トイレに関する。
【背景技術】
【０００２】
工事現場や公園、イベント会場等に設営される簡易水洗式の仮設トイレは、レンタル業者が借り主側の注文に応じて和式又は洋式トイレを提供する。洋式トイレの注文は少ないが、レンタル会社としては一定数の洋式トイレを所持、保管しておく必要があり、その在庫負担が大きくなっている。また、和式トイレは完成した形（組み立てた状態）で用意されているものも多いが、洋式トイレの注文は少ないため、洋式トイレを完成した形で用意しておくことはほとんどなく、注文があったとき、洋式トイレを組み立てることが多い。特許文献１，２に簡易水洗式の仮設和式トイレの一例が記載されている。
【０００３】
一方、例えば特許文献３には、便器を設置するステップパネル（デッキパネル）の穴と、便槽に通じるフロアパネルの穴を和洋便器共用のものとし、和式便器を洋式便器に取り替えることにより、和式トイレを洋式トイレに変更することが記載されている。この方法が実施できれば、完成した形で用意されている和式トイレを利用し、和式便器を洋式便器に交換するだけで洋式トイレが得られるので、一から洋式トイレを組み立てる必要がなく、比較的容易に洋式トイレを用意することができると考えられる。
【先行技術文献】
【特許文献】
【０００４】
【特許文献１】特開平７−２９２７５０号公報
【特許文献２】特開平８−２４１６０号公報
【特許文献３】特開２００５−２３２６７４号公報
【発明の概要】
【発明が解決しようとする課題】
【０００５】
しかし、和式便器と洋式便器はその立体形状が大きく異なるから、一般的な仮設和式トイレにおいて、和式便器が設置されていたデッキパネルの穴に、そのまま洋式便器を設置することは現実には無理である。また、一般的な仮設和式トイレにおいて、フロアパネルの穴は洋式便器に適合しない。すなわち、和式便器は便器内部の前後方向の勾配が大きくとれないため便器の汚物流出口が前後に広く、またボックス内における位置が機種によって異なるから、フロアパネルの穴は一般に大きめに形成されており、この穴は洋式便器には大きすぎる。
【０００６】
本発明は、便槽の上に平らなフロアパネルが設置され、フロアパネルの上に水タンク兼デッキが設置され、水タンク兼デッキに和式便器が収容され、フロアパネルに便槽に通じる開口が形成され、和式便器の汚物流出口が前記開口内に配置され、周囲が前面ドア付きの四角いボックスで囲繞された一般的な簡易水洗式の仮設和式トイレを、必要に応じて洋式トイレに変更でき、かつその変更作業が容易に行えるようにすることを目的とする。
【課題を解決するための手段】
【０００７】
本発明は、前記のような簡易水洗式の仮設和式トイレを、洋式トイレに変更する際に使用する洋式便器設置用のアダプターパネルに関する。このアダプターパネルは、洋式便器を取り付けたうえでフロアパネルの上に設置されるもので、フロアパネルの開口より大きい平面視形状を有し、洋式便器の汚物流出口が配置される洋式便器用開口が形成され、前記洋式便器用開口はフロアパネルの開口より小さい平面視形状を有する。また、このアダプターパネルは、フロアパネル上に設置されたとき該フロアパネルの開口全面を覆い、かつ洋式便器用開口がフロアパネルの開口の内側に位置するようになっている。
【０００８】
前記アダプターパネルは、例えば次のような実施の形態をとることができる。
（１）アダプターパネルが前記フロアパネルの上で前記開口の左右に張り出している。
（２）下面側にフロアパネルの開口に嵌まる凸部を有し、この凸部が形成された箇所に前記洋式便器用開口が形成されている。
（３）下面後方側に固定爪、下面前方側に可動爪が設置され、前記固定爪は前記開口の後方側縁部から前記フロアパネルの下に差し入れられ、前記可動爪は進出又は後退自在で、進出させたとき前記開口の前方側縁部から前記フロアパネルの下に差し入れられるものである。
（４）前記アダプターパネルの凸部に、前記固定爪及び可動爪が設置されている。
【０００９】
アダプターパネルを用いて和式トイレから洋式トイレに変更された仮設トイレは、便槽の上に平らなフロアパネルが設置され、フロアパネルに便槽に通じる開口が形成され、フロアパネルの上に前記アダプターパネルが設置され、アダプターパネル上に洋式便器が設置され、洋式便器の汚物流出口がアダプターパネルの洋式便器用開口内に配置され、フロアパネル上の洋式便器の背面側に水タンクが設置され、水タンク及び様式便器の周囲がドア付きの四角いボックスで囲繞されたものとなる。
【発明の効果】
【００１０】
本発明によれば、一般的な簡易水洗式の仮設和式トイレを、必要に応じて洋式トイレに変更でき、かつその変更作業を容易に短時間で行うことができる。その逆も同様である。洋式トイレ用に所持保管するパーツも、洋式便器のほかは、該洋式便器を設置するアダプターパネル程度で済み、初期投資、保管場所、和式洋式の機種管理等のリスクが軽減される。
【図面の簡単な説明】
【００１１】
【図１】本発明に係る簡易水洗式の仮設和式トイレの斜視図（ボックス省略）である。
【図２】本発明に係る簡易水洗式の仮設洋式トイレの斜視図（ボックス省略）である。
【図３】フロアパネルの平面図である。
【図４】アダプターパネルの平面図（ａ）、側面図（ｂ）及び底面図（ｃ）である。
【図５】フロアパネル上に設置したアダプターパネル及び周辺部の断面図である。
【発明を実施するための形態】
【００１２】
以下、図１〜５を参照して、本発明に係る洋式便器設置用のアダプターパネル、及び簡易水洗式の仮設洋式トイレについて説明する。
図１に示す簡易水洗式の仮設和式トイレは、便槽１と、便槽１の上に設置された平らなフロアパネル２と、フロアパネル２の上に設置された水タンク兼デッキ３と、水タンク兼デッキ３に収容された和式便器４と、フロアパネル２の周縁に沿って水タンク兼デッキ３及び和式便器４の周囲を囲繞する図示しない前面ドア付きの四角いボックス等を備える。水タンク兼デッキ３にはポンプ５が設置され、このポンプ５を踏むことにより水タンク兼デッキ３内の水が和式便器４内に流れ、洗浄する。和式便器４内に流れた水は、汚物と共に和式便器４の汚物流出口６を通り、便槽１内に流下する。汚物流出口６は筒状で下方に延び、フロアパネル２に形成された和式便器用開口７（図３，５参照）内に配置されている。
【００１３】
図４に示すアダプターパネル８は、平面視で前方側（ボックスのドア側）が幅広に形成されて一定幅を有し、後方側（ボックスの奥側）は幅が次第に減少し略台形状をなし、略中央部に上下に貫通する洋式便器用開口９が形成されている。アダプターパネル８の左右幅は、特にその前方側において和式便器用開口７の左右幅よりかなり大きく、この例では倍以上の大きさに設定されている。これは、アダプターパネル８をフロアパネル２に設置した際に、フロアパネル２の上で和式便器用開口７の左右に大きく張り出させ、左右のぐらつきを防止するためである。この観点からいえば、アダプターパネル８の左右幅は広い方がより望ましく、例えばボックス内のスペースの左右幅の大部分（１／２以上）、好ましくは３／４以上を占める大きさ、一般的なサイズの仮設トイレであれば５００ｍｍ以上に設定することが望ましい。上面前方側に少し凹んだ四角形の凹所１１が形成され、ここにレバー１２が水平揺動自在に配置されている。アダプターパネル８の下面略中央部に、下向きに突出した平面視略四角形の凸部１３が形成され、凸部１３の位置に前記洋式便器用開口９が形成されている。和式便器用開口７に比べると、洋式便器用開口９のサイズはかなり小さい。凸部１３の略四角形の外縁１３ａのサイズは、フロアパネル２に形成された和式便器用開口７よりやや小さく、該和式便器用開口７に嵌るようになっている。
【００１４】
凸部１３の下面前方側に少し凹んだ四角形の凹所１４が形成され、ここに可動爪１５が水平揺動自在に配置されている。可動爪１５はピン１６を介してレバー１２と連結し、レバー１２を揺動させると凹所１４内で共に揺動し、これにより可動爪１５を凸部１３の外縁１３ａから前方側に突出させ（図４（ｃ）の状態）、又は前記外縁１３ａの内側に収容することができる。また、凸部１３の下面後方側に先端を後方側に向けた固定爪１７が固定され、その先端部は凸部１３の外縁１３ａから後方側に突出している。
なお、便槽１、フロアパネル２、水タンク兼デッキ３及びアダプターパネル８のそれぞれの本体部分は、例えばプラスチックのブロー成形体からなる。
【００１５】
図２に示す簡易水洗式の仮設洋式トイレは、図１に示す仮設和式トイレの水タンク兼デッキ３を水タンク１８に置き代え、和式便器４をアダプターパネル８上に設置した洋式便器１９に置き換えたものである。洋式便器１９の下端の図示しない汚物流出開口は、アダプターパネル８の洋式便器用開口９内に配置されている。水タンク１８にはポンプ２１が設置され、このポンプ２１を押さえることにより水タンク１８内の水が洋式便器１９内に流れ、洗浄する。なお、水タンク１８は、アダプターパネル８及び洋式便器１９の後方側に沿うように湾曲した形状を有し、フロアパネル２上に配置される。  
【００１６】
図１に示す簡易水洗式の仮設和式トイレを図２に示す洋式トイレに変更する場合、まず、水タンク兼デッキ３を和式便器４ごと、フロアパネル２上から取り外す。取り外した水タンク兼デッキ３及び和式便器４は、例えばボックスのドアから運び出す。
次に、洋式トイレ用水タンク１８をボックス内に運び入れ、フロアパネル２上の所定位置（図２参照）に設置し、洋式便器１９を上面に取り付けたアダプターパネル８を運び入れ、所定位置に設置する。具体的には、図５を参照して説明すると（図５において洋式便器１９は図示省略）、可動爪１５を内側に収容した状態で、アダプターパネル８の凸部１３を、固定爪１７，１７を先にしてフロアパネル２の和式便器用開口７に斜めに嵌め入れ、固定爪１７，１７を和式便器用開口７の後方側の縁部からフロアパネル２の下に差し入れ、前記凸部１３を和式便器用開口７に嵌め込む。これにより、アダプターパネル８はフロアパネル２上に水平に置かれる。続いて、レバー１２を水平揺動させ、可動爪１５を凸部１２の外縁から前方側に突出させる。この取り付け作業に工具等は不要である。
【００１７】
なお、水タンク兼デッキ３及び和式便器４の運び出し、洋式トイレ用水タンク１８と洋式便器１９の運び入れは、ボックス後部から行ってもよい（特許文献３参照）。あるいは、水タンク兼デッキ３及び和式便器４の取り外し、洋式トイレ用水タンク１８と洋式便器１９の取り付け等を、ボックスを外した状態で行うこともできる。
図５に示すように、フロアパネル２の和式便器用開口７にアダプターパネル８の凸部１３が嵌り、固定爪１７，１７が前記和式便器用開口７の後方側縁部においてフロアパネル２の下に差し入れられ、可動爪１５が前記和式便器用開口７の前方側縁部においてフロアパネル２の下に差し入れられる。また、アダプターパネル８の左右幅を前記のとおり大きく設定したことで、図２に示すように、アダプターパネル８が和式便器用開口７の左右においてフロアパネル２の上に広く張り出している（張り出し部８ａ）。以上の構成により、アダプターパネル８の前後方向及び左右方向のぐらつきが効果的に防止され、アダプターパネル８上に設置された洋式便器１９が安定する。
【符号の説明】
【００１８】
１  便槽
２  フロアパネル
３  水タンク兼デッキ
７  和式便器用開口
８  アダプターパネル
９  洋式便器用開口
１３  凸部
１５  可動爪
１７  固定爪
【図１】
2014173320.tif 000003
【図２】
2014173320.tif 000004
【図３】
2014173320.tif 000005
【図４】
2014173320.tif 000006
【図５】
2014173320.tif 000007